(57)【特許請求の範囲】
【請求項１】
底壁(4)と、該底壁(4)に起立した仕切り壁片(8)および側壁(5)とにより中皿収納部(17)を区画形成し、前記仕切り壁片(8)の内周面に係止片(10)を突設すると共に、該仕切り壁片(8)内周面に対向する前記側壁(5)部分に、切欠き(14)を設けることにより、中央側に位置させた先端に突き当たり片(13)を突設した左右一対の弾片(12)を横設状に形成すると共に、該両弾片(12)間の側壁(5)部分を切除して、上端部に係止壁片(16)を残して窓部(15)を開設し、さらに同側壁(5)部分の両端部内周面に係止突片(11)を突設した有底短筒状の本体(1)と、該本体(1)に開閉回動自在に蝶番結合した蓋体(19)と、周壁(21)外周面に、前記係止片(10)が係止する係止溝(22)を設け、該係止溝(22)とは反対側の前記周壁(21)外周面の両端部に、前記係止突片(11)が係止する係止凹部(23)を、また同周壁(21)外周面の中央部分に、前記係止壁片(16)に下方から係止する係止突部(24)をそれぞれ設け、前記係止溝(22)に係止片(10)を、係止凹部(23)に係止突片(11)を、そして係止突部(24)を係止壁片(16)に係止させた状態で、前記周壁(21)に前記弾片(12)の突き当たり片(13)を押接させる幅を有する有底短筒状の化粧料収納用の中皿(20)と、から成るコンパクト容器。
【請求項２】
本体(1)の、中皿収納部(17)を形成する仕切り壁片(8)を含めた側壁(5)の内周面側上端部に周段部(7)を周設し、中皿(20)の、周壁(21)外周面上端部に、前記周段部(7)に搭載する外鍔片(25)を周設した請求項１に記載のコンパクト容器。
【請求項３】
中皿(20)を、反転姿勢が同じとなるように対称構造に構成すると共に、仕切り壁片(8)の中央部分に、前記中皿(20)の係止突部(24)が侵入する欠部(9)を設けた請求項１または２に記載のコンパクト容器。
【請求項４】
本体(1)を、一側に蓋体(19)を蝶番結合する有底短筒状の外枠体(2)と、該外枠体(2)の上端面に搭載する外鍔状の頂壁(6)を上端縁に連設した側壁(5)と仕切り壁片(8)とから成り、前記外枠体(2)内に嵌装組付けされる短筒状の中枠体(3)と、から構成した請求項１または２または３に記載のコンパクト容器。
【発明の詳細な説明】
【０００１】
【産業上の利用分野】
本発明は、本体に対して、化粧料収納用のドラム枠を着脱自在に組付けることを可能としたコンパクト容器に関するものである。
【０００２】
【従来の技術】
本体に対して、化粧料収納用の中皿を着脱自在に組付ける構成とし、もって携帯する化粧料を詰め替えできるようにしたコンパクト容器の代表例として、実開平２−８２２０８号公報および実公平３−２０２７３号公報に開示された技術がある。
【０００３】
この従来技術は、本体に形成された中皿収納部の対向した側面に、嵌装された中皿に係止する係止部を設け、中皿収納部の一方の係止部を設けた側壁部分に弾力部分を設け、この弾力部分の弾力の作用により本体と中皿との係止結合を保持し、中皿が本体から妄りに外れないようにしている。
【０００４】
【発明が解決しようとする課題】
しかしながら、上記従来技術は、中皿と係止する本体側の一方の係止部が、中皿の弾力を作用させる弾力部分に設けられているので、中皿の中皿収納部への嵌装組付け時の互いの係止部乗り越えの際に、両係止部に強大な摩擦抵抗力が作用し、このため本体および中皿の係止部が早期に磨耗すると云う問題があった。
【０００５】
また、弾力部分が、中皿収納部を形成する一方の側壁部分で構成され、この弾力部分は両端を固定した架設状の構造となっているので、この弾力部分に設ける係止部は弾力部分の中央部に制限されることになり、このため中皿に対する本体の一方側での係止保持が一箇所に制限され、中皿を安定した姿勢で係止保持する能力が決して充分ではないと云う問題があった。
【０００６】
そして、弾力部分が、中皿収納部を形成する一方の側壁部分を、スリットを設けることにより両端を固定して架設状にして構成されているので、この弾力部分を弾性変形させるのに比較的大きな力を必要とし、本体に対する中皿の着脱操作が行い難いと云う問題があった。
【０００７】
さらに、本体に対する中皿の着脱操作を行い易くするために、弾力部分の比較的小さな弾性変形により中皿の着脱を達成できるように設定しているので、コンパクト容器の使用中における取り落とし等により、或る程度の外部衝撃が作用すると、この外部衝撃の作用による弾力部分の瞬間的な変形により、中皿が本体から簡単に不正離脱し易いと云う問題があった。
【０００８】
そこで、本発明は、上記した従来技術における問題点を解消すべく創案されたもので、弾力部分の弾力を、本体と中皿との係止保持に適正に作用させることを技術的課題とし、もって中皿の円滑な着脱操作を得ることができる状態で、中皿の安定した姿勢での長期間にわたる確実な係止保持を得ることを目的とする。
【０００９】
【課題を解決するための手段】
上記した技術的課題を解決する本発明の手段は、
底壁と、この底壁に起立した仕切り壁片および側壁とにより中皿収納部を区画形成し、仕切り壁片の内周面に係止片を突設すると共に、この仕切り壁片内周面に対向する側壁部分に、切欠きを設けることにより、中央側に位置させた先端に突き当たり片を突設した左右一対の弾片を横設状に形成すると共に、両弾片間の側壁部分を切除して、上端部に係止壁片を残して窓部を開設し、さらに同側壁部分の両端部内周面に係止突片を突設した有底短筒状の本体を有すること、
この本体に開閉回動自在に蝶番結合した蓋体を有すること、
周壁外周面に、本体の係止片が係止する係止溝を設け、この係止溝とは反対側の周壁外周面の両端部に、本体の係止突片が係止する係止凹部を、また同周壁外周面の中央部分に、本体の係止壁片に下方から係止する係止突部をそれぞれ設け、係止溝に本体の係止片を、係止凹部に本体の係止突片を、そして係止突部を本体の係止壁片に係止させた状態で、周壁に本体の弾片の突き当たり片を押接させる幅を有する有底短筒状の化粧料収納用の中皿を有すること、
にある。
【００１０】
本体の、中皿収納部を形成する仕切り壁片を含めた側壁の内周面側上端部に周段部を周設し、中皿の、周壁外周面上端部に、本体の周段部に搭載する外鍔片を周設するのが良い。
【００１１】
中皿を、反転姿勢が同じとなるように対称構造に構成すると共に、本体の仕切り壁片の中央部分に、中皿の係止突部が侵入する欠部を設けるのが有効である。
【００１２】
弾片を、先端を中央側に位置させて左右一対設けると共に、この両弾片間の側壁部分を切除して窓部を形成する。
【００１３】
本体を、一側に蓋体を蝶番結合する有底短筒状の外枠体と、この外枠体の上端面に搭載する外鍔状の頂壁を上端縁に連設した側壁と仕切り壁片とから成り、外枠体内に嵌装組付けされる短筒状の中枠体と、から構成するのが良い。
【００１４】
【作用】
中皿が本体の中皿収納部に組付いた状態では、中皿は、その一方側面を本体の弾片の突き当たり片に押接させた状態で、係止溝を本体の係止片に、係止凹部を本体の係止突片に、そして係止突部を本体の係止壁片に係止させ、この係止により本体に離脱不能に組付き、また弾片から中皿に作用する押圧力により、中皿の係止溝と本体の係止片との係止が強固に確保され、これにより本体に対する中皿のガタ付きのない組付きを強固に確保する。
【００１５】
また、中皿の一方側（係止溝を設けた側とは反対側）の本体に対する係止は、両端部に設けた係止凹部と、中央部分に設けた係止突部とで達成されるので、その本体に対する係止組付きは、中皿の一方側全域で達成されることになり、これにより中皿の本体に対する係止組付き姿勢は、一定しかつ安定したものとなる。
【００１６】
この一方側での本体と中皿との係止は、双方に設けられた係止用突出部分（本体側は係止突片、中皿側は係止突部）で達成されるので、本体と中皿との実質的な係止箇所が本体と中皿の一方側に偏ることがなく、これにより本体に対する中皿のより安定した係止組付きが達成維持される。
【００１７】
係止突片は、本体の不動部分に設けられているので、弾片の弾性変形に関わりなく、中皿の係止凹部との係止状態を一定で安定したものとなり、弾片は、単に係止片と係止溝との係止を保持する弾力を中皿に作用させるだけで良く、その弾性変形が中皿の係止凹部に対する係止突片の係止形態に影響を与えると云うことがないので、その構造は簡単となる。
【００１８】
中皿の本体からの離脱に際しては、中皿を弾片の弾力に逆らって押圧変位させて、係止片と係止溝との係止を解除させた状態で、中皿の係止片との係止が解除された側を引き上げ、そのまま中皿収納部から中皿を引き出せば良い。
【００１９】
反対に、中皿の本体への組付けに際しては、中皿を本体の中皿収納部に斜め上方から挿入して、係止凹部に係止突片を係止させると共に、係止突部を係止壁片に係止させた状態で弾片を弾性変形させ、そのまま中皿収納部内に押し込んで、弾片の弾力により係止片を係止溝に係止させることにより、中皿の本体に対する組付けを達成する。
【００２０】
【実施例】
以下、本発明の実施例を、図面を参照しながら説明する。
本体１は、内面に鏡を固定した蓋体１９を一側端に回動開閉自在に蝶番結合した、底壁４を有する有底短長方形筒状の外枠体２と、この外枠体２内に嵌入する短長方形筒状の中枠体３とから構成され、中枠体３は、外枠体２内に嵌入する短長方形筒状の側壁５と、この側壁５の上端縁に外鍔状に連設された頂壁６と、側壁５内を二分割して一方に中皿収納部１７と他方に用具収納部１８とを形成する仕切り壁片８とから構成されている。
【００２１】
中皿収納部１７は、その平面形状が長方形をしており、各角部は、比較的大きな曲率で角取りされて、円弧面を形成している。
【００２２】
中枠体３の仕切り壁片８は、その中央部分に欠部９を設けて、中皿２０の中皿収納部１７への着脱操作を行い易くすると共に、中皿２０の中皿収納部１７への装着に、係止突部２４が邪魔とならないようにしており、中皿収納部１７内周面となる仕切り壁片８の側面の両側に寄った下部には、横長の係止片１０が突設されている。
【００２３】
仕切り壁片８に対向する中皿収納部１７を形成している側壁５のやや両側に寄った部分には、切欠き１４（図５参照）を設けることにより、突き当たり片１３を設けた先端を中央側に位置させて一対の弾片１２が左右に設けられており、この弾片１２の突き当たり片１３は、弾片１２の全高さ幅範囲にわたって設けられており、その突出高さは係止片１０の突出高さよりもわずかに大きく設定され、弾片１２を弾性変形させての係止片１０と係止溝２２との係止の着脱を可能としている。
【００２４】
このように、一対の弾片１２が左右に分離して設けられているので、中皿２０に対する押圧力は二箇所に分散して作用することになり、これにより個々の弾片１２の弾力を弱くして、係止機能部分に過剰な摩擦抵抗力が発生しないようにすると共に、中皿２０に作用する押圧力が偏ることなく安定した形態で作用するようにしている。
【００２５】
係止突片１１は、弾片１２が設けられた側壁５部分の円弧状に角取りされた両端部、すなわち湾曲壁構造部分に設けられているので、例え弾片１２の基端部、すなわち固定部が比較的接近して位置する構造となっていても、それ自体が設けられている部分が、変形し難い壁構造（湾曲構造）部分であるので、弾片１２の弾性変形に伴う弾力の影響で、この壁部分が変形することはなく、これにより中皿２０の係止凹部２３に対する安定した係止結合を維持する。
【００２６】
両弾片１２間には、この部分の側壁５中央部分を、上端部を残して切除して窓部１５を形成することにより、残存した上端部である係止壁片１６が形成されており、中皿２０に設けた係止突部２４が、窓部１５に侵入して下方からこの係止壁片１６に係止するようにしている。
【００２７】
中皿収納部１７を形成する側壁５および仕切り壁片８の内周面上端縁には、中皿２０の周壁２１の外周面上端縁に突出周設した外鍔片２５（図２参照）が搭載する周段部７が形成されており、中皿収納部１７に中皿２０を嵌装した状態で、この周段部７に搭載した中皿２０の外鍔片２５が、本体１と中皿２０との係止組付き機能部分を隠すので、中皿２０装着時の外観体裁を良好なものとしている。
【００２８】
化粧料を収納保持する中皿２０は、角取りした有底短長方形筒状をしていて、その周壁２１外周面の下部に周溝を全周にわたって周設（図１参照）することにより係止溝２２を形成し、角取りした各角部の周溝部分を係止凹部２３とすることにより、係止溝２２と係止凹部２３とを一体に形成している。
【００２９】
係止凹部２３は、周壁２１の外周面に周設された周溝の各角部の横幅を、係止突片１１に比べて充分に大きくすると共に、溝幅を上方に拡大して構成したものとなっている。
【００３０】
係止凹部２３の溝幅寸法を大きくしたのは、中皿２０を中皿収納部１７に挿入した当初において、この係止凹部２３が本体１側の係止突片１１と容易にかつ確実に係止できるようにするためであり、また係止凹部２３の横幅を大きくしたのは、係止突片１１に係止凹部２３を係止させた状態で、中皿２０が弾片１２を弾性変形させて本体１側に対して変位しても、係止凹部２３に対する係止突片１１の係止を確保するためである。
【００３１】
周壁２１の外周面の一方側と他方側の中央部分の周溝の直上には、本体１側の窓部１５内に侵入できる横幅で充分な突出高さ（弾片１２の弾性変形ストロークよりも大きい）の係止突部２４（図３参照）が横突条状に設けられており、この係止突部２４の他方は、中皿２０を中皿収納部１７に嵌装した状態で、仕切り壁片８の欠部９に位置して、中皿２０の本体１側への嵌装の邪魔とならないようにしている。
【００３２】
周壁２１の外周面上端縁には、本体１の周段部７に搭載する外鍔片２５が周設されているが、この外鍔片２５は、本体１と中皿２０との係止機能部分を覆い隠すと共に、本体１の欠部９に中皿２０の上端部の突出部分として露出して位置することにより、中皿２０の離脱操作時における中皿２０に対する指先の引っ掛かり部を提供し、もって中皿２０の離脱操作を行い易くしている。
【００３３】
有底短長方形筒体の周壁２１の外周面に周溝状の係止溝２２を設けると共に、角取りした各角部に係止凹部２３を設けて中皿２０を構成したので、中皿２０は平面的に点対称構造となり、このため本体１に対する組付けに際して、姿勢の方向規制がなくなり、その取扱いが便利となる。
【００３４】
なお、中皿収納部１７に隣接して形成された用具収納部１８は、底壁４に多数の細かい通気用の小孔を開設してパフ収納用に構成されている。
【００３５】
【発明の効果】
本発明は、上記した構成となっているので、以下に示す効果を奏する。
本体と中皿との係止組付きを達成保持する弾力の作用部分と、係止機能部分とが別個に分離して構成されているので、係止機能部分の係止動作時に弾力作用部分が必要以上に弾性変形して、係止機能部分に過剰な押圧力を作用させ、その結果、係止機能部分に強大な摩擦抵抗力を発生させて、係止機能部分を早期に磨耗させると云うことがなく、もって本体と中皿との係止組付きを、長期間にわたって良好にかつ確実に機能させることができる。
【００３６】
弾力作用部分と係止機能部分とを分離させたので、弾力作用部分に拘束されることなく係止機能部分を、中皿の係止保持を効果的にかつ安定して達成できるように離して配置することができ、もってガタ付きのない安定した中皿の係止保持状態を得ることができる。
【００３７】
弾片を、側壁部分に切欠きを形成することにより、片持ち状に横設したので、弾力の作用部分である突き当たり片を設けた先端部の無理のない弾性変位を得ることができ、もって本体に対する中皿の着脱操作を、大きな操作力を要することなく、円滑にかつ簡単に達成することができる。
【００３８】
本体と中皿との実質的な係止箇所を、中皿側だけではなく、中皿に設けた係止突部により本体側にも形成したので、外部から作用する不正な衝撃に伴う瞬間的な変位により、本体と中皿との係止が妄りに解除されると云う不都合が発生し難くなり、これにより本体に対する中皿の着脱操作の容易さを維持したまま、本体に対する中皿の係止組付きのより安定した維持を得ることができる。
【図面の簡単な説明】
【図１】本発明の一実施例を示す、一部破断除去した全体分解斜視図。
【図２】図１に示した実施例における、要部弾片部拡大縦断面図。
【図３】図１に示した実施例における、要部中央部拡大縦断面図。
【図４】図１に示した実施例における、要部角部拡大縦断面図。
【図５】図１に示した実施例における、弾片部分の要部拡大図。
【図６】図１に示した実施例における、本体の中皿収納部の平面図。
【符号の説明】
１  ；  本体                      ２  ；  外枠体
３  ；  中枠体                    ４  ；  底壁
５  ；  側壁                      ６  ；  頂壁
７  ；  周段部                    ８  ；  仕切り壁片
９  ；  欠部                      １０；  係止片
１１；  係止突片                  １２；  弾片
１３；  突き当たり片              １４；  切欠き
１５；  窓部                      １６；  係止壁片
１７；  中皿収納部                １８；  用具収納部
１９；  蓋体                      ２０；  中皿
２１；  周壁                      ２２；  係止溝
２３；  係止凹部                  ２４；  係止突部
２５；  外鍔片
【図１】
0003691540.tif 000002
【図２】
0003691540.tif 000003
【図３】
0003691540.tif 000004
【図４】
0003691540.tif 000005
【図５】
0003691540.tif 000006
【図６】
0003691540.tif 000007